(57)【要約】【課題】画像データを編集する画像データ編集装置の編集解像度と印刷装置の印刷解像度とが異なる場合であっても、印刷画像の画質を落とすことなく印刷用の画像データを編集すること。【解決手段】画像データ編集装置２は、印刷装置３で印刷するための画像データを編集する画像データ編集装置２であって、印刷装置３の解像度を取得する解像度取得手段８１と、取得した解像度に応じてマトリクスＭを生成し、このマトリクスＭを画像データの編集画面として表示する編集画面表示手段８２と、マトリクスＭを利用し、ドット単位で画像データを編集する詳細画像編集手段８３と、を備えている。【選択図】図６
2008160326.tif 000002
【特許請求の範囲】
【請求項１】
印刷装置で印刷するための画像データを編集する画像データ編集装置であって、
前記印刷装置の解像度を取得する解像度取得手段と、
取得した前記解像度に応じてマトリクスを生成し、当該マトリクスを前記画像データの編集画面として表示する編集画面表示手段と、
前記マトリクスを利用し、ドット単位で前記画像データを編集する詳細画像編集手段と、を備えたことを特徴とする画像データ編集装置。
【請求項２】
前記印刷装置の解像度に関係なく前記画像データを編集する通常画像編集手段と、
前記詳細画像編集手段により前記画像データを編集する詳細編集モードと、前記通常画像編集手段により前記画像データを編集する通常モードと、のいずれかのモードを選択するモード選択手段と、
前記通常モードにおいて編集された前記画像データの解像度を、前記印刷装置の解像度に合わせて変換する解像度変換手段と、をさらに備えたことを特徴とする請求項１に記載の画像データ編集装置。
【請求項３】
前記詳細画像編集手段は、キャラクタ単位の前記マトリクスを利用して前記画像データを編集し、
前記印刷装置の解像度に関係なく前記画像データを編集する通常画像編集手段と、
前記詳細画像編集手段および前記通常画像編集手段の少なくとも一方による編集後において、前記キャラクタ毎に、前記詳細画像編集手段により編集された前記画像データである詳細画像データか否かを判別する判別手段と、
前記判別手段により、前記詳細画像データであると判別されたキャラクタ以外の画像データの解像度を、前記印刷装置の解像度に合わせて変換する解像度変換手段と、をさらに備えたことを特徴とする請求項１に記載の画像データ編集装置。
【請求項４】
前記詳細画像編集手段による編集後の前記画像データおよび前記解像度変換手段による変換後の前記画像データを、前記印刷装置に送信する画像データ送信手段を、さらに備えたことを特徴とする請求項２または３に記載の画像データ編集装置。
【請求項５】
請求項４に記載の画像データ編集装置と、
前記印刷装置と、から成ることを特徴とする印刷システム。
【請求項６】
コンピュータを、請求項１ないし４のいずれかに記載の画像データ編集装置における各手段として機能させるためのプログラム。
【発明の詳細な説明】
【技術分野】
【０００１】
本発明は、印刷装置で印刷するための画像データを編集する画像データ編集装置、印刷システムおよびプログラムに関するものである。
【背景技術】
【０００２】
従来、コンピュータ等の外部装置により編集された外字データを記録する装置として、特許文献１記載の記録装置が知られている。この記録装置は、外部装置で編集された外字データを受信した後、圧縮回路により圧縮して一旦記憶し、伸張回路により圧縮データを元のデータに復元して印字バッファに展開する。
【特許文献１】特開平０７−３２６７６号公報
【発明の開示】
【発明が解決しようとする課題】
【０００３】
ところで、上記外部装置により編集された外字データ等の編集画像データを印刷する場合、外部装置を上記従来の記録装置を備えた印刷装置に接続して、印刷装置に編集画像データを送信して印刷を行うことが考えられる。しかしながら、編集画像データの解像度と印刷装置の解像度とが異なる場合には、編集画像データの解像度は印刷装置の印刷解像度に変換されて印刷されるため、印刷された画像の画質が、ユーザの期待した印刷画像の画質にならない問題がある。例えば、編集画像データの解像度に比べて印刷解像度が低い場合には、印刷画像の画質は、編集画像の画質と比べて粗くなり、劣化してしまうことになる。
【０００４】
本発明は、画像データを編集する画像データ編集装置の編集解像度と印刷装置の印刷解像度とが異なる場合であっても、印刷画像の画質を落とすことなく印刷用の画像データを編集することができる画像データ編集装置、印刷システムおよびプログラムを提供することを目的とする。
【課題を解決するための手段】
【０００５】
本発明の画像データ編集装置は、印刷装置で印刷するための画像データを編集する画像データ編集装置であって、印刷装置の解像度を取得する解像度取得手段と、取得した解像度に応じてマトリクスを生成し、マトリクスを画像データの編集画面として表示する編集画面表示手段と、マトリクスを利用し、ドット単位で画像データを編集する詳細画像編集手段と、を備えたことを特徴とする。
【０００６】
この構成によれば、印刷装置の解像度に基づいて生成されたマトリクスを利用して、ドット単位で画像データを詳細に編集することができるので、この編集された編集画像データを印刷した場合であっても、編集画像の画質に比べて印刷画像の画質を落とすことがなく、ユーザの期待した印刷画像の画質を得ることができる。なお、印刷装置の解像度は、印刷装置を接続して当該印刷装置から読み込んで取得しても良いし、ユーザによる入力により取得しても良い。
【０００７】
この場合、印刷装置の解像度に関係なく画像データを編集する通常画像編集手段と、詳細画像編集手段により画像データを編集する詳細編集モードと、通常画像編集手段により画像データを編集する通常モードと、のいずれかのモードを選択するモード選択手段と、通常モードにおいて編集された画像データの解像度を、印刷装置の解像度に合わせて変換する解像度変換手段と、をさらに備えたことが好ましい。
【０００８】
この構成によれば、編集する画像データに応じて、詳細編集モードと、通常モードとを選択することができる。すなわち、例えば、単なる文字入力やテキスト指定など、印刷装置の解像度に関係なく画像データの編集が可能な場合には、通常モードを選択し、通常モードにより編集された画像データを印刷装置の解像度に合わせて変換すればよい。これにより、印刷用の画像データの編集を効率良く行うことができる。
【０００９】
この場合、詳細画像編集手段は、キャラクタ単位の前記マトリクスを利用して画像データを編集し、印刷装置の解像度に関係なく画像データを編集する通常画像編集手段と、詳細画像編集手段および通常画像編集手段の少なくとも一方による編集後において、キャラクタ毎に、詳細画像編集手段により編集された画像データである詳細画像データか否かを判別する判別手段と、判別手段により、詳細画像データであると判別されたキャラクタ以外の画像データの解像度を、印刷装置の解像度に合わせて変換する解像度変換手段と、をさらに備えたことが好ましい。
【００１０】
この構成によれば、編集後の画像データの中から詳細画像データを判別して、詳細画像データであると判別されたキャラクタ以外の画像データの解像度のみ、印刷装置の解像度に合わせて変換することができる。これにより、例えば、編集した画像データに、通常文字と外字とが混在している場合でも、編集された画像データ全体の解像度を印刷装置の解像度に合わせることができる。
【００１１】
これらの場合、詳細画像編集手段による編集後の画像データおよび解像度変換手段による変換後の画像データを、印刷装置に送信する画像データ送信手段を、さらに備えたことが好ましい。
【００１２】
この構成によれば、印刷装置は、送信された画像データの解像度を自身の解像度に変換することなく、印刷処理を行うことができる。
【００１３】
本発明の印刷システムは、請求項４に記載の画像データ編集装置と、印刷装置と、から成ることを特徴とする。
【００１４】
この構成によれば、編集の自由度が高い画像データ編集装置で画像データの編集を行い、画像データの印刷のみ印刷装置で行うことができるので、画像データの編集を容易に行うことができる。
【００１５】
本発明のプログラムは、コンピュータを、請求項１ないし４のいずれかに記載の画像データ編集装置における各手段として機能させることを特徴とする。
【００１６】
このプログラムを用いることにより、画像データを印刷した場合に、ユーザの期待する印刷画像を得ることができる画像データ編集装置を実現することができる。
【発明を実施するための最良の形態】
【００１７】
以下、添付の図面を参照して、本発明の一実施形態に係る画像データ編集装置、印刷システムおよびプログラムについて説明する。この印刷システムでは、画像データ編集装置が取得した印刷装置の解像度に基づいて画像データを編集し、印刷装置がこの編集後の画像データを印刷するものである。
【００１８】
図１に示すように、本実施形態の印刷システム１は、ＰＣ（Personal Computer）等で構成される画像データ編集装置２と、印刷装置３と、これらを接続するＵＳＢ（Universal Serial Bus）ケーブル４と、から構成されている。画像データ編集装置２は、画像データを編集して印刷データを生成し、ＵＳＢケーブル４を介して印刷装置３に送信する。印刷装置３は、画像データ編集装置２から印刷データを受信し、当該印刷データに基づいて処理テープＴ（図３参照）に印刷を行い、ラベルを作成する。なお、本実施形態では、印刷装置３にテーププリンタを適用した場合を例に挙げて説明する。
【００１９】
画像データ編集装置２は、装置本体に接続され、データを入力するキーボード５およびマウス６と、印刷データ等の入力および編集結果を表示するディスプレイ７と、を備えており、装置本体には、テーププリンタ２１（図２参照）に各種処理を指令するためのアプリケーションプログラム９やテーププリンタ２１を制御するためのプリンタドライバ１０等（図４参照）のデータを記憶したＣＤ−ＲＯＭ（Compact Disc Read Only Memory）８が着脱自在に装着されている。そして、キーボード５等から各種指令および各種データが入力されると、画像データ編集装置２は、アプリケーションプログラム９等に従って各種データを処理し、テーププリンタ２１を制御するようになっている。
【００２０】
図２および図３に示すように、テーププリンタ２１は、処理テープＴに対して印刷処理を行う装置本体２２と、処理テープＴおよびインクリボンＲを収容し、装置本体２２に着脱自在に装着されるテープカートリッジＣとを備えている。
【００２１】
装置本体２２は、装置ケース２３により外殻が形成され、その内部に広く印刷処理部３０が構成されている。装置ケース２３の前半部上面には、各種キー２４を備えたキーボード２５が配設されている。装置ケース２３の後半部左上面には、開閉蓋２６が広く設けられ、開閉蓋２６の上面には、テープカートリッジＣの装着／非装着を視認するための覗き窓２７が形成されていると共に、開閉蓋２６の前側にはこれを開放する蓋体開放ボタン２８が設けられている。後半部右上面には、キーボード２５からの入力結果等を表示するディスプレイ２９が形成されている。
【００２２】
蓋体開放ボタン２８を押して開閉蓋２６を開放すると、その内部には、テープカートリッジＣが装着されるカートリッジ装着部３１が窪入形成されており、カートリッジ装着部３１には、テープカートリッジＣから繰り出される処理テープＴに印刷処理を行う印刷ヘッド４１が配設されている（図３参照）。
【００２３】
装置ケース２３の左側部には、カートリッジ装着部３１と装置外部とを連通するテープ排出口３２が形成され、このテープ排出口３２に臨んで装置ケース２３には、処理テープＴを切断するためのカッタユニット３３が内蔵されている。カッタユニット３３は、モータ（フルカッタモータ３５）駆動により、処理テープＴをハサミ形式で切断するフルカッタ３４と、フルカッタ３４に対してテープ送り方向下流側に配設され、切断されたテープ片を強制的に排出する排出機構（図示省略）と、を備えている（図５参照）。
【００２４】
また、装置ケース２３の右側部には、電源供給のための電源供給口（図示省略）と、図外の画像データ編集装置２と接続するためのコネクタ（図示省略）が形成される。これにより、コネクタは、ＵＳＢケーブル４を介して、画像データ編集装置２と接続することができ、この画像データ編集装置２によって生成された印刷データに基づいて、印刷処理を行うことができるようになっている。また、図２および図３では省略したが、装置ケース２３の内部には、装置本体２２を統括制御する制御部６５（図５参照）を構成する回路基板が搭載されている。
【００２５】
カートリッジ装着部３１には、発熱素子を有しヘッドカバー４０に覆われた印刷ヘッド４１と、後述するテープリール５１の位置決めをする位置決め突起４２と、テープカートリッジＣの処理テープＴおよびインクリボンＲを送り、印刷ヘッド４１に対峙するプラテン駆動軸４３およびインクリボンＲを巻き取る巻取り駆動軸４４とが突設されている。また、カートリッジ装着部３１には、カートリッジケースＣの裏面に形成された複数の被検出孔に対応してテープ識別センサ（図示省略）が設けられている。また、カートリッジ装着部３１には、プラテン駆動軸４３および巻取り駆動軸４４を駆動する印刷送りモータ４６（図５参照）や減速ギヤ列等（図示省略）が内蔵されている。
【００２６】
テープカートリッジＣは、カートリッジケース５０の内部に、処理テープＴを巻回したテープリール５１と、右下部にインクリボンＲを巻回したリボン繰出しリール５２およびリボン巻取りリール５３とを収容して構成されている。また、テープリール５１の左下部には、印刷ヘッド４１を覆うヘッドカバー４０に差し込むための貫通開口５４が形成されている。さらに、処理テープＴとインクリボンＲとが重なる部分に対応し、上記プラテン駆動軸４３に嵌合して回転駆動するプラテンローラ５５が配置されている。
【００２７】
テープカートリッジＣをカートリッジ装着部３１に装着すると、ヘッドカバー４０に貫通開口５４が、位置決め突起４２にテープリール５１が、巻取り駆動軸４４にリボン巻取りリール５３が、プラテン駆動軸４３にプラテンローラ５５が、それぞれ差し込まれ、この状態で開閉蓋２６を閉蓋すると、これに連動して、印刷ヘッド４１が、処理テープＴおよびインクリボンＲを挟み込んでプラテンローラ５５に当接し、印刷待機状態となる。そして、画像データ編集装置２で生成され、送られてきた印刷データに基づき、プラテン駆動軸４３および巻取り駆動軸４４が同期回転して、処理テープＴおよびインクリボンＲを送りながら、印刷ヘッド４１により印刷処理が行われる。これと共に、リボン繰出しリール５２から繰り出されたインクリボンＲは、貫通開口５４の開口壁を周回してリボン巻取りリール５３に巻き取られる。印刷処理後の処理テープＴは、印刷済み部分がフルカッタ３４により切断され、切断された処理テープＴがラベルとしてテープ排出口３２から外部に排出される。
【００２８】
処理テープＴは、裏面に粘着剤層が塗着された記録テープＴ１と、この粘着剤層により記録テープＴ１に貼付された剥離テープＴ２とから構成されている。そして、処理テープＴは、記録テープＴ１を外側にし、かつ剥離テープＴ２を内側にしてロール状に巻回されてカートリッジケース５０に収容されている。この処理テープＴには、例えば、テープ幅が６ｍｍから３６ｍｍまでの複数種のものが用意されている。カートリッジケースＣの裏面には、小さな複数の被検出孔（図示省略）が形成され、上記のテープ識別センサによってこの複数の被検出孔が検出されることにより、処理テープＴの種別を識別できるようになっている。
【００２９】
次に、図４および図５を参照し、印刷システム１の制御系について説明する。上記のとおり、印刷システム１は、画像データ編集装置２と、テーププリンタ２１とから成り、テーププリンタ２１は、印刷データ受信部６０と、印刷処理部３０と、印刷データ受信部６０および印刷処理部３０と接続され、テーププリンタ２１全体を制御する制御部６５と、を有している。印刷データ受信部６０は、ＵＳＢインタフェース（ＵＳＢ−ＩＦ）６１を有し、ＵＳＢケーブル４を介して画像データ編集装置２から送信された印刷データを受信する。印刷処理部３０は、受信した印刷データに基づいて印刷ヘッド４１により処理テープＴに印刷処理を行い、フルカッタモータ３５によりフルカッタ３４を駆動し印刷済みの処理テープＴを切断して、ラベルを作成する。制御部６５は、ＣＰＵ（Central Processing Unit）６６と、ＲＯＭ（Read Only Memory）６７と、ＲＡＭ（Random Access Memory）６８と、入出力制御装置（ＩＯＣ：Input Output Controller）６９と、を備え、互いに内部バスにより接続されている。そして、ＣＰＵ６６は、ＲＯＭ６７内の制御プログラムに従って、ＩＯＣ６９を介してテーププリンタ２１の各部から各種信号・データを入力する。また、ＣＰＵ６６は、入力した各種信号・データに基づいて、ＲＡＭ６８内の各種データを処理し、ＩＯＣ６９を介してテーププリンタ２１の各部に各種信号・データを出力し、印刷処理の制御を行う。
【００３０】
一方、図４に示すように、画像データ編集装置２は、キーボード５およびマウス６からのデータ入力や、画像データ等のディスプレイ７への表示など、ユーザインタフェースとして機能する操作部７１と、ＵＳＢインタフェース（ＵＳＢ−ＩＦ）７３を有し、ＵＳＢケーブル４を介してテーププリンタ２１と各種信号・データの送受信を行うデータ送受信部７２と、操作部７１およびデータ送受信部７２を制御する制御部７４と、を有し、制御部７４は、画像データ編集装置２全体を制御している。
【００３１】
制御部７４は、ＣＰＵ７５と、ＲＯＭ７６と、ＲＡＭ７７と、ＣＤ−ＲＯＭ８と、入出力制御装置（ＩＯＣ：Input Output Controller）７８と、を備え、互いに内部バスにより接続されている。画像データ編集装置２の各部からＩＯＣ７８を介して各種信号およびデータが入力されると、ＣＰＵ７５は、ＣＤ−ＲＯＭ８およびＲＯＭ７６内に記憶された制御プログラム（アプリケーションプログラム９等）に従って、入力された各種信号およびデータに基づいて、ＲＡＭ７７内の各種データを処理し、ＩＯＣ７８を介して画像データ編集装置２内の各部に各種信号およびデータを出力する。
【００３２】
ここで、図６の機能ブロック図を参照し、印刷システム１の制御系についてさらに説明する。画像データ編集装置２は、同図に示すように、解像度取得手段８１と、編集画面表示手段８２と、詳細画像編集手段８３と、通常画像編集手段８４と、モード選択手段８５と、解像度変換手段８６と、画像データ送信手段８７と、を備えている。
【００３３】
解像度取得手段８１は、テーププリンタ２１（印刷装置３）の解像度（印刷解像度）を取得するものである。ここで、テーププリンタ２１の解像度は、テーププリンタ２１を接続して当該テーププリンタ２１から読み込んで取得しても良いし、ユーザにより入力しても良い。また、予めテーププリンタ２１の解像度をＲＡＭ７７内に記憶しておき、ＲＡＭ７７から取得しても良い。
【００３４】
編集画面表示手段８２は、解像度取得手段８１が取得したテーププリンタ２１の解像度に応じてマトリクスＭ（図９参照）を作成し、このマトリクスＭを画像データの編集画面として表示するものである。
【００３５】
詳細画像編集手段８３は、テーププリンタ２１の解像度に応じて生成されたマトリクスＭを利用し、ドット単位で画像データを編集するものである。
【００３６】
通常画像編集手段８４は、テーププリンタ２１の解像度に関係なく、つまり、画像データ編集装置２の編集解像度により画像データを編集するものである。
【００３７】
モード選択手段８５は、詳細画像編集手段８３により画像データを編集する詳細編集モードと、通常画像編集手段８４により画像データを編集する通常編集モードと、のいずれかの編集モードを選択するものである。
【００３８】
解像度変換手段８６は、プリンタドライバ１０によりその主要部が構成され、通常編集モードにおいて編集された画像データの解像度を、テーププリンタ２１の解像度に合わせて変換するものである。
【００３９】
画像データ送信手段８７は、詳細画像編集手段８３による編集後の画像データおよび解像度変換手段８６による変換後の画像データを、テーププリンタ２１に送信するものである。
【００４０】
なお、解像度取得手段８１、編集画面表示手段８２、詳細画像編集手段８３、通常画像編集手段８４およびモード選択手段８５は、ＣＰＵ７５がアプリケーションプログラム９に従って各種データを演算し、さらに操作部７１およびＩＯＣ７８と協働して処理を実行することにより実現されるものである。
【００４１】
次に、図７を参照して、印刷システム１の制御動作について説明する。
【００４２】
まず、画像データ編集装置２において、ＣＤ−ＲＯＭ８に記憶されたアプリケーションプログラム９を起動させ、操作部７１の操作に基づいて、画像データの編集を行う編集モードを選択する（Ｓ１）。ここで、ディスプレイ７には、画像データの通常編集を行う通常編集画面９０が表示されている（図８参照）。
【００４３】
次に、モード選択手段８５は、操作部７１の操作に基づいて、詳細編集モードまたは通常編集モードのいずれかの編集モードを選択する（Ｓ２）。
【００４４】
詳細編集モードを選択した場合（Ｓ２：Ｙｅｓ）、解像度取得手段８１は、テーププリンタ２１の解像度を取得する（Ｓ３）。また、編集画面表示手段８２は、取得したテーププリンタ２１の解像度に応じてマトリクスＭを生成し、このマトリクスＭを画像データの編集画面として表示する（Ｓ４）。ここで、画像データ編集装置２のディスプレイ７には、マトリクスＭを有する詳細編集画面９１が表示されている（図９参照）。詳細編集画面９１内には、詳細編集の編集対象物の外観を表示する外観表示ウィンドウ９２が表示されており、ユーザがこの外観表示ウィンドウ９２内で任意の領域９３を指定し、この領域９３の移動に応じて、詳細編集画面９１における画像データを移動させることにより、編集箇所を変更することも可能である。
【００４５】
次に、詳細画像編集手段８３は、テーププリンタ２１の解像度に応じたマトリクスＭを利用して、ドット単位で画像データを編集し、印刷データを生成する（Ｓ５）。具体的には、詳細画像編集手段８３は、操作部７１の操作に基づいて、詳細編集画面９１として表示されるマトリクスＭ内のドットのＯＮ／ＯＦＦを切り替えて、細かい画像データの編集を行い、オリジナルの外字文字や装飾模様等の印刷データを生成する。
【００４６】
そして、画像データ送信手段８８は、生成された印刷データをテーププリンタ２１に送信し（Ｓ６）、テーププリンタ２１の印刷処理部３０は、受信した印刷データに基づいて、印刷処理を行う（Ｓ７）。
【００４７】
一方、Ｓ２において、詳細編集モードを選択しない、つまり、通常編集モードを選択した場合（Ｓ２：Ｎｏ）、通常画像編集手段８４は、テーププリンタ２１の印刷解像度に関係なく、通常の方法により画像データを編集（キー入力による文字編集や描画ツールを利用した画像編集など）する（Ｓ８）。
【００４８】
次に、解像度変換手段８６は、通常画像編集手段８４により編集された画像データの解像度を、テーププリンタ２１の解像度に合わせて変換して、印刷データを生成する（Ｓ９）。そして、画像データ送信手段８７は、テーププリンタ２１の解像度に変換された画像データを、テーププリンタ２１に送信する（Ｓ６）。
【００４９】
なお、本実施形態に係る印刷システム１の制御動作は上記フローの動作順序に限定されるものではなく、例えば、テーププリンタ２１の印刷解像度は、画像データ編集装置２とテーププリンタ２１を接続したときに取得してもよい。この場合、編集モードの選択後、選択した編集モードに応じた画像データの編集処理にすぐに移るので、効率良く画像データの編集作業を行うことができる。
【００５０】
このように、本実施形態によれば、画像データ編集装置２は、テーププリンタ２１（印刷装置３）の解像度に基づいて生成されたマトリクスＭを利用して、ドット単位で画像データを詳細に編集することができるので、この編集された編集画像データを印刷した場合であっても、編集画像の画質に比べて印刷画像の画質を落とすことがなく、ユーザの期待した印刷画像の画質を得ることができる。
【００５１】
なお、上記の実施形態では、詳細編集モードに設定した場合（Ｓ２：Ｙｅｓ）には解像度変換を行わず、通常編集モードに設定した場合（Ｓ２：Ｎｏ）に解像度変換を行うものとしたが（Ｓ９）、これらのモード設定を省略した構成としてもよい。この場合、キャラクタ毎に、詳細画像編集手段８３により編集された詳細画像データか否かを判別し（判別手段）、詳細画像データであると判別されたキャラクタ以外の画像データの解像度を、テーププリンタ２１（印刷装置３）の解像度に変換する。なお、この判別処理は、解像度変換処理と共にプリンタドライバ１０により実現可能である。また、詳細画像データか否かについては、データ種類やコマンド等に基づいて判別可能である。この構成によれば、ユーザによるモード設定の手間を省くことができると共に、キー入力された通常文字と詳細画像編集手段８３により編集された外字とが混在した文字列を印刷する場合でも、見栄え良く印刷することができる。
【００５２】
また、上記の実施形態に示した、印刷システム１（画像データ編集装置２および印刷装置３）の各構成要素をプログラムとして提供することも可能である。また、そのプログラムを各種記録媒体（ＣＤ−ＲＯＭ、フラッシュメモリ等）に格納して提供することも可能である。すなわち、印刷システム１の各構成要素をプログラム化したもの、およびそれを記録した記録媒体も、本発明の権利範囲に含まれるものである。
【図面の簡単な説明】
【００５３】
【図１】本発明の実施形態に係る印刷システムの模式図である。
【図２】テーププリンタの閉蓋状態における外観斜視図である。
【図３】テーププリンタの開蓋状態における外観斜視図である。
【図４】画像データ編集装置の制御ブロック図である。
【図５】テーププリンタの制御ブロック図である。
【図６】印刷システムの機能ブロック図である。
【図７】印刷システムの制御動作を説明するためのフローチャートである。
【図８】ディスプレイに表示される通常編集画面の模式図である。
【図９】ディスプレイに表示される詳細編集画面の模式図である。
【符号の説明】
【００５４】
１…印刷システム  ２…画像データ編集装置  ３…印刷装置  ８１…解像度取得手段  ８２…編集画面表示手段  ８３…詳細画像編集手段  ８４…通常画像編集手段  ８５…モード選択手段  ８６…解像度変換手段  ８７…画像データ送信手段  Ｍ…マトリクス
【図１】
2008160326.tif 000003
【図２】
2008160326.tif 000004
【図３】
2008160326.tif 000005
【図４】
2008160326.tif 000006
【図５】
2008160326.tif 000007
【図６】
2008160326.tif 000008
【図７】
2008160326.tif 000009
【図８】
2008160326.tif 000010
【図９】
2008160326.tif 000011